(57)【要約】      （修正有）【課題】全世界の医療機関に協力を要請し、利用できるカルテ情報を提供してもらい、医薬療戦略データベースとして国際的に共有する基盤を提供する。【解決手段】最新の医薬療技術や副作用・薬害などの更新情報、過去の失敗例から抽出した医学上の教訓や注意点などが、人工知能的自動検索により、仮想実験の段階ですべて参照可能になっており、特に治療方針において事後に致命的なミスをもたらす医師本人の自覚なき試行判断については積極的な警告を与え、患者の生命を危うくするリスクについても戦略的な選択肢ごとにオプションを設ける。医師がこのような仮想的な試行実験を重ねて、実際の治療に当れば、ミスも少なくなり、作業もスムーズにすすむことになる。【選択図】  なし【特許請求の範囲】
【請求項１】
コンピューターシミュレーションの立体的な仮想空間の中に人体模型を構成し、これに特定の患者個人の診断・検査・計測などによって得られた情報を入力することにより、その患者そのものの疾患・体質あるいは治療方針に影響の多い心理性向の反応なども、この仮想的電子式人体模型に反映させ、最新の医薬療技術や副作用・薬害などの更新情報、過去の失敗例から抽出した医学上の教訓や注意点、あらゆる病変プロセス、治療実績、治癒例、後遺症例、および死亡例などを人工知能的に自動検索し、より正確なシミュレーション結果として出力できるように、全世界の医療機関に協力を要請し、利用できるカルテ情報を提供してもらい、医薬療戦略データベースとして国際的に共有することにより、あらゆる外科手術や内科治療、薬物療法などに対応し、患者本人に直接治療をおこなう前に、短時間で仮想的な実験を連続的に試行することができる、国際的な医薬カルテ情報データベースを基盤としたコンピューターによる医薬療戦略シミュレーションの基本システム構造
【発明の詳細な説明】
【発明の詳細な説明】
【技術分野】
【０００１】  本発明は、個人情報に関わるコンピューター情報システムのソフトウェアにおいて、オンラインネットワークを利用した非営利ビジネスモデルとしての国際的な医薬療戦略データベースと、操作者である医薬療技術者たるユーザーの教育研修・能力開発目的の情報処理システム全般の基本構造に関わる。
【背景技術】
【０００２】  コンピューターシミュレーションの立体的な仮想空間の中に人体模型を構成する技法は、すでに多くの分野で映像的に使われている。特に兵器類の殺傷能力を仮想空間で試行実験したり、精巧な医療機器の使用方法の教習においても、仮想的な人体模型を使用している場合がある。
救急救命行為、たとえば人工呼吸や心臓マッサージを練習するための人体模型は存在する。
しかし、本発明は単に実体的、あるいは仮想的な人体模型の構成にとどまらず、なるべく多くの医療機関のカルテ情報を国際的にオンラインデータベースで共有・更新することによって、必要な最新の医薬療戦略情報を自動検索し、それをシミュレーション結果として出力するものであり、この方法以外に生命リスクのかかった医薬関係の試行実験の安全性を担保できるものは考えられない。
【発明が解決しようとする課題】
【０００３】  医薬学は常に進歩しているが、そこには必ず医師の技量や知識の限界が存在する。特に医薬についての常識が最先端で大きく変わっていたり、治療法や医療技術が過去とは様変わりをしているにもかかわらず、末端の現場の医師にはそのことが伝わっていなかったり、また文献の誤読や情報の誤解によって具体的に治療に支障を生ずる場合もある。新薬類についていえば、現代の医科学では、非常に多くの種類の薬物情報があり、医師ばかりでなく、看護師、薬剤師も用法・用量・副作用について完全な知識を用意できない。
つまり、第一の課題は、情報の不均等による医薬療上のミスの危険性である。
医療技術についていえば、年功と熟練を経た指導的医師に、肉体的な経験と修練に未熟な医学生たちが一種の徒弟制度として、見よう見まねで指導を受けているものであり、外科手術の術式や技法などは非常に個性が強いものであり、よくいえば芸術的であり、客観的にみると欠点や欠陥の補正はしにくい個人技である。
したがって、第二の課題は、医師の技量の不均等による医薬療法上の失敗の危険性である。
【課題を解決するための手段】
【０００４】  したがって、本発明が解決しようとする課題は、第一に完全な医薬療戦略情報の共有である。国際的なデーターベースによって、特定の患者の治療方針に必要になる医薬療情報がすべて多言語・母国語で提供される。
これによって情報の不均等による医薬療上のミスは減少するであろう。
第二に熟練した医薬学指導者の特殊な技巧や治療戦略プロセスが、シミュレーションとして具体的に記述され、立体的に記録され、以後は国際的に随時参照され、共有されるものとなることである。また技量的に未熟な医薬学生においても、実際の患者の治療に当る前に試行実験を何度も重ねて、自分が陥るかもしれないミスや心理的な躊躇に、あらかじめ鍛錬を重ねておくことが可能になり、これを指導的な医薬学技術のお手本と立体的に比較することも可能である。
すなわち、医師の技量の不均等による医薬療法上の失敗はほとんど回避されることになるであろう。
【発明を実施するための最良の形態】
【０００５】  本発明を実施する前提として、国際的な医薬カルテ情報データベースの基盤構築が必要である。
国際的なデータベースの信頼性を保証するためには、システム管理が国際的な取り決めのもとで適切に運営されねばならない。
最初は一国内あるいは少数の医療機関による共同運営が実施されるとしても、システム管理に無責任な空白が生じないように、厳重な配慮が必要である。
次に、本発明を実際に運用する施設は、基本的に相当な規模の医療機関でなければならない。
これは経営的、資金的な問題点はもちろん、レントゲン技師のように、各医療機関において、システム管理の責任者を配置する必要性があるからである。
また、個人的なカルテ記入ミスなど、個人判断に由来するデータの誤謬や改ざんについても、組織的な防止措置がとられねばならない。
将来的な目標として、開業医の個人医院におけるカルテ情報も組織的な収集が必要だが、これには審査・電子情報化に多くの費用がかかる。
これらの理由から、実際のシミュレーション機器の利用・使用については、相当規模の医療機関が想定される。
次に、コンピューターによる医薬療戦略シミュレーションを運用するには、特殊な情報セキュリティの構成が必要である。
特に定型化された医薬療シミュレーション、あるいは治療プロセスのロールプレイングについては、普通のパーソナルコンピューターでも活用が可能であり、これは基本ソフトウェアとして販売することができる。
しかし、システム全体のトラブルを引き起こすかもしれない不正アクセスを防止するには、オンラインのネットワークには特殊な情報言語を採用し、情報の送受信を完全に暗号化する必要性がある。
また、現在の英語圏に偏向した情報言語は、特殊文字変換の多い多言語化に対応できない。
既存の言語技術に、暗号化技術を加え、オンラインのネットワーク秩序の独立をセキュリティ技術で担保しなければならない。
【発明の効果１】
【０００６】  本発明の国際的な医薬カルテ情報データベースを基盤としたコンピューターによる医薬療戦略シミュレーションを実現すると、以下の効果を期待することができる。
すなわち、情報の不均等によるミスが減少することで、医薬療上のトラブルが減少し、医療機関の経営に大きな不安がなくなることである。
特にこの種のトラブルが多い小児科病院の運営については、医師・看護師・薬剤師の定期的な研修と技量向上について画期的な改善がもたらせるであろう。
薬害・後遺症障害など、事前に完全な情報が与えられていれば、回避できるようなトラブルは基本的に根絶することができる。
特に国際的なカルテ情報が公開され、自動検索されるため、副作用の報告などは製薬会社や政府機関の警告より以前に医師が自主的に判断することが可能になる。
リスクをとる場合にも、患者に対して、完全な情報提供を容易にすることで、判断をまかせることができる。
医療機関の少ない辺境地域の医療についても、おおよその品質保証をすることができる。複雑な情報調整が必要な臓器移植医療についても、国際間でカルテ情報がオンラインで交換されていれば、不整合が生じることもなく、時間の浪費もなく、成功率が高まることになる。
これらのことが全体的に日本国ばかりでなく、各国民の医療費を軽減し、各国の福祉増進に貢献する。また、国際間においても医薬療情報の不均等が解消されることで、特に低開発地域、難民キャンプに展開して医薬による援助をしている先進諸国の医師団にも情報面のサポートがおこなえることになる。これによって多くの人命が救われ、全人類の福祉向上に貢献する。
【発明の効果２】
【０００７】  本発明の国際的な医薬カルテ情報データベースを基盤としたコンピューターによる医薬療戦略シミュレーションを実現すると、さらに以下の効果も期待できる。
すなわち、医師の技量の不均等が国際的に減少することで、さらに多くの人命が救われ、全人類の福祉向上に貢献するということである。
世界各国の医薬療の現場は、それが豊かで自由な経済社会ではない場合、特に朝鮮民主主義人民共和国に典型的に見られるように、その政権の厚生・衛生政策が直接的に反映されることになりがちである。
国際間の重篤患者の送致は、まだ費用面で困難が多い。
しかし、本発明の効果が生かされると、設備や人材が整っていない環境や緊急事態、特に戦場や災害現場などで、医師の技量によって解決できる問題はおよそ解決は可能になる。こうした緊急事態に起きがちなトラブルなどについても、シミュレーションでの試行実験が医師団の側で綿密に準備実行されていれば、現場でのトラブル発生にすべての医療スタッフが冷静に対処することができる。
人命に関わる医薬療行為は、トラブルの対処方法や手順を間違うと、必然的に致命的な結果をもたらす。だからこそ、航空機や潜水艦のような高性能機器の使用訓練と同じように、医師・看護師・薬剤師ほかの医療チームは統一した組織行動がとれるように、シミュレーション訓練によって多くのミスと失敗を回避すべく、事前の訓練と教習を重ねることが必要なのである。